(57)【要約】本発明は、一般にショルダーストラップ若しくはハンドストラップを備えた物品を吊り下げ、又はキーなど他のアクセサリーを携帯する際に使用されるクリップとフック（クリップ）の組合せを提供する。この組み合わせは、回転継手を中心に、全クリップ構成体の対向する２個の回転連結された部分が一緒に向けられて、衣料アイテム若しくは衣料ピース上の他のストラップ又はループの周りに固定できる連続的な包囲された形状を形成する第１の位置と、前記構成体の両部分が包囲された形状から回転して出て、例えば実質的にＳ字形のフックに入り、そこで前記構成体の一方の部分はアイテムのストラップを支持し、他方の部分は衣料掛け、椅子の背もたれ、テーブル上面、ドア頂部、又はその他の支持部材に取り付けることができ第２の位置との間で回転移動可能である。
2016513555.tif 000002
【特許請求の範囲】
【請求項１】
可動な包囲構成体であって、
第１部分と第２部分とを有し、第１部分と第２部分は各々回転継手において該回転継手のそれぞれの継手端部で回転連結されており、第１部分と第２部分は各々周形状を画定し、その際に第１部分と第２部分は、（ａ）継手が第１の回転ポジションにあって第１部分と第２部分のそれぞれの自由端部が対向する関係にあるときに包囲された姿勢を画定し、（ｂ）継手が第１の回転ポジションから回転して離れた第２の回転ポジションにあるときに開いた姿勢を画定し、
前記継手は、継手で所定の回転トルクを加えることにより第１部分と第２部分を第１の回転ポジションと第２の回転ポジションの間で移動させて選択的に両ポジションの各々に維持する割出しアセンブリを含んでおり、
前記継手は、第１部分に対向する１対の溝と、第２部分に選択的にそれぞれ第１の回転ポジションと第２の回転ポジションで各々の溝と係合させるための突出部を有する少なくとも１個のインジケータを含む、
可動な包囲構成体。
【請求項２】
第１の回転ポジションと第２の回転ポジションの各々は互いから約１８０度回転して離れている、請求項１記載の包囲構成体。
【請求項３】
前記インジケータは第２部分のインジケータポケット内に組み付けられている、請求項２に記載の包囲構成体。
【請求項４】
第１部分はインジケータに対向する面上に形成された各々の溝を含む、請求項３に記載の包囲構成体。
【請求項５】
前記継手は、第１部分と第２部分の各々を貫通して、第１部分又は第２部分に固定して取り付けられた軸ボルトを含む、請求項４に記載の包囲構成体。
【請求項６】
前記軸ボルトは第１部分又は第２部分に埋設されたナット内にねじ込まれて着座している、請求項５に記載の包囲構成体。
【請求項７】
第１部分と第２部分の少なくとも１個はポリマーを含んでおり、前記ナットは当該部分のポリマー領域に埋設されており金属を含んでいる、請求項６に記載の包囲構成体。
【請求項８】
第１部分又は第２部分は、前記軸ボルトを受容する凹部と、前記軸ボルトを覆うキャップとを含む、請求項６に記載の包囲構成体。
【請求項９】
前記キャップは、第１部分又は第２部分の隣接外面に合致する外面形状を含む、請求項８に記載の包囲構成体。
【請求項１０】
前記凹部は、ナットの面に対して係合して軸ボルトを中心に回転するように構成及び配置されたばねサポートを含む、請求項８に記載の包囲構成体。
【請求項１１】
前記軸ボルトは、第１部分を第２部分に対して付勢するばねアセンブリを含む、請求項１０に記載の包囲構成体。
【請求項１２】
前記ばねアセンブリは、互いに向き合う複数の皿ワッシャー（Ｂｅｌｌｅｖｉｌｌｅワッシャー）を含んでいる、請求項１１に記載の包囲構成体。
【請求項１３】
前記軸ボルトは、第１部分を第２部分に対して付勢するばねアセンブリを含む、請求項８に記載の包囲構成体。
【請求項１４】
前記ばねアセンブリは、互いに向き合う複数の皿ワッシャーを含んでいる、請求項１３に記載の包囲構成体。
【請求項１５】
第１部分と第２部分は、閉じたポジションにおけるループと開いたポジションにおけるフックを画定する、請求項１に記載の包囲構成体。
【請求項１６】
第１部分と第２部分の少なくとも１個の自由端部は弾性パッドを含む、請求項１５に記載の包囲構成体。
【請求項１７】
第２部分の自由端部は、閉じたポジションで第１部分の自由端部上に載って重なり合う、請求項１５に記載の包囲構成体。
【請求項１８】
第１部分と第２部分は、閉じたポジションで手提げバッグのストラップに合うサイズに形成されて配置された内周を画定する、請求項１に記載の包囲構成体。
【請求項１９】
第１部分と第２部分は、閉じたポジションで固形宝飾品を画定し、開いたポジションで宝飾品の取外しを可能にするように構成及び配置されている、請求項１に記載の包囲構成体。
【発明の詳細な説明】
【技術分野】
【０００１】
本発明は、携帯用ハンドル又はストラップを有する財布、バッグなどのアイテムで使用するための着脱可能なアクセサリー、より具体的にはバッグなどのための吊り下げフック、並びにそれらの構成要素の姿勢を変更するための可動継手を採用したその他のアクセサリーに関する。
【背景技術】
【０００２】
フックとクリップは日常生活で普通に使用されるアイテムである。これらは所望するときにアイテムを一緒に固定できる。これらはまたアイテムを懸垂面から吊り下げて汚れた床やその他の表面上に置くのを避けることもできる。特に所望されるのは財布、バッグ、その他の手提げ／肩掛け私物を床又はその他の表面から持ち上げておくことである。その理由は、このようなアイテムは貴重な中身を含んでいることがあり、しかも汚れやすく高価な材料で作られている場合があるからである。さらにそのようなアイテムや私物を視線の高さ又はその近傍に保持して、盗まれないようにしっかりと監視できることが所望される。財布、バッグ、その他の私物を持ち上げておくことが特に望ましい具体的な状況は、持ち主がレストランやパブに座っているときである。コート掛けや他の金具は衣服を吊るすのに利用できるが、持ち主は通常バッグ又は財布を身近に置いて置くことを好む。しかしそうするための選択肢は限られている。バッグ又は財布を持ち主の脚の下に置くことができるが、汚れやこぼれた液体が付着することになる。代替としてテーブルやカウンター上面に置くことができるが、それは邪魔になるし、やはりこぼれた液体や食物で汚れる可能性がある。
【０００３】
より一般的に、多様なアクセサリーは閉鎖構造の恩恵を受けている。例えば固形ブレスレットや固形ネックレスなどは望ましくは着脱を可能にする開いた姿勢と、装着者に固定される閉じたポジションを許容する。典型的に、これは繊細なヒンジと面倒な留め金を伴い、これらの多くは壊れやすく、そうでなくとも扱いにくい。
【０００４】
したがって、財布、バッグ又はその他の手提げ／肩掛けアイテムを事実上任意の好都合な支持位置に吊り下げることを許容する機構を提供することが望ましい。この機構は使用していないときは簡単に持ち運べ、通常の条件で壊れないように十分頑丈で、魅力的な外観を備えていなければならない。基本機構のバリエーションは他の機能も実行できなければならず、バッグ及び手提げ／肩掛けアイテムを吊り下げること以外の目的、例えばブレスレットや閉鎖可能な宝飾品として携帯されなければならない。この機構はまた一般に統合された閉鎖及びロックを許容しなければならない。さらに、機構は全構造を金属、ポリマーなどに限らない多様な材料から構成できるようにしなければならない。
【発明の概要】
【０００５】
本発明は、一般にショルダーストラップ又はハンドストラップを備えた物品を吊り下げ、又はキーなどのアクセサリーを携帯するなどのために使用されるクリップとフック（クリップ）の組合せ、又はその他の閉鎖可能なアセンブリを提供することによって、先行技術の短所を克服する。これは回転継手を中心にして、全クリップ構成体の対向する２個の回転連結された部分が一緒に向けられて、衣料アイテム又は衣料ピース（例えばベルト通し）に付いている他のストラップ又はループの周りに固定できる連続的な包囲された形状を形成する第１の位置と、構成体の両部分が包囲された形状から回転して出て、フック（例えば実質的にＳ字形のフック）に入り、そこで構成体の一方の部分はアイテムのストラップを支持し、他方の部分は衣料掛け、椅子の背もたれ、テーブル上面、ドア頂部、又はその他の支持部材に取り付けることができる第２の位置との間で回転移動可能である。別の実施態様において包囲された構成体は、包囲された姿勢において装着者の手首、足首、首又はその他の身体部分に固定され、開いた姿勢で取り外される装着可能な宝飾品を画定できる。例示的な実施態様において、両部分の間の継手はばね負荷された、少なくとも２個の割出し位置を有する回転ピボットアセンブリを画定できる。第１の割出し位置は両部分を包囲された姿勢に置き、それらの向き合う自由端部（継手端部の反対側）は互いに最小限のギャップで対向する関係に入る。第２の割出し位置は両部分を包囲された姿勢の約１８０度反対側に向け、それによってフックの形成を可能にする。
【０００６】
例示的な実施態様において、回転継手は通常埋設されたばねアセンブリによって互いに向かって付勢された、１対の対向する雄型楔／突出面と雌型溝／戻り止め面で構成されることができ、これらはすべて１本の軸上に配置されている。ばねアセンブリは軸シャフト周りに重ねて配置された一連の皿ワッシャー（Ｂｅｌｌｅｖｉｌｌｅワッシャー）を含むことができる。軸シャフトは両部分に設けた同心の円筒形孔を通って継手端部を貫通し、継手の片側にねじ込まれる小ねじを含むことができる。代替として軸は、一方の端部に拡張された頭部を有し、反対側の端部に取外し可能なクリップを有するシャフトであってよい。この実施態様における皿ワッシャーは、軸の両側を隣接させて配置できる。各部分における継手の向き合う端部は、隣接クリップ面に対して連続した外面を提供するように形成されたキャップ外面を備えた互いに合致するプラグで塞がれてよい。１対の弾性先端部材を、両部分間の対向ギャップに隣接して各部分の向き合う自由端部の各々に組み付けることができる。これらの先端部材は、フックの一方の側又は他方の側が支持部材に当てがわれたときに追加のフック端部と摩擦面を提供するように形成でき、各々それぞれの端部から内方に突出して拡張されたフック端部を画定できる。
【０００７】
さらに、例示的な実施態様において、雄型継手インサートは複数の雄型楔構造を含むことができ、このインサートは一方の部分にある円形受容凹部内に固定されており、雄型インサートが当該部分に対して回転するのを妨げるように互いに係合する平坦部を有する。反対側のインサートは中空後端部を含むことができ、これも対向する部分の隆起面上の対応する平坦部と係合する平坦部を有するように形成されている。この実施態様では、両インサートは円形凹部に完全に着座している。このようにすると各インサートは各部分に対しては回転が妨げられるが、他方の部分に対してはそれぞれ回転できる。こうして一方の部分が他方の部分の戻り止めインサートに対して回転するとき、下に位置するインサートもそれと一緒に回転する。雄型インサートは２個の突出する楔又は半球体を含み、雌型戻り止めインサートは２個の溝又は受け口からなる。所定の回転力を与えることによってインサート間に加えられたばね付勢力が克服されて、雄型楔は雌型溝から脱出することが可能になる。所望の位置（包囲された姿勢又はフック姿勢）に達すると、楔は溝にぴったり嵌まって、偶発的に回転しないように当該位置を維持する。
【０００８】
一実施態様において、クリップの包囲された姿勢はハート形又はその他の魅力的な幾何学的形状を画定でき、連結された部分はこの形状の鏡像半部を有することができる。別の実施態様において、一方又は両方の部分の内側縁部は、栓抜きなど有用な道具又はアクセサリーや、ナプキンホルダーなど有用な包囲形状を含む、多角形の内周輪郭と外周輪郭の鏡像半部を画定できる。この他にもある回転姿勢では包囲体を生み出し、これと反対の姿勢（典型的に共通面上に位置する各々反対の回転姿勢）ではフックを生み出す円形、楕円形など、本質的に任意の形状が考慮されている。別の実施態様において、アクセサリーの内周のサイズは極めて可変であり、宝飾チェーン、ベルト通しなど比較的小さいアイテムにのみ適合する大きさにすることができる。この小型（又は大型）バージョンのクリップは１以上のアクセサリー構造と適合できる。例えばキーチェーンアセンブリ又はコンピュータ用メモリスティックである。アクセサリー構造は一方のクリップ部分の縁部に組み付けて、反対側の部分を支持面に掛けたときに取り付けられたアクセサリーがバランスを保つように配置できる。いずれの実施態様面においてもクリップ構成体部分の断面形状は可変であり、表面に多様な装飾的デザインを形成できる。
【０００９】
別の実施態様において、回転ヒンジ連結された全構成体の第１部分と第２部分は、全部または一部がポリマー材料から形成されてよい。この実施態様では一体的な（一緒に成形された）継手アセンブリを採用できる。そのような継手は少ない数の部品で組み立てることが容易である。一実施態様において、この一体的な構成体の継手は、雄型突出部を有する第１の割出し面と、雌型戻り止めを有する第２の割出し面を含む。継手はさらに第１部分と第２部分の各々で、それぞれ一体的な凸部アセンブリおよびこれと嵌合する一体的な凹部を画定する。凹部と凸部は、合致する円錐形端部と密着嵌合する円筒体であり、この円錐形端部は軸方向移動の制限を促進する一方、凸部アセンブリが完全に凹部内に着座すると軸方向回転を許す。凹部は第１の傾斜面を含み、凸部アセンブリは、各々第１の傾斜面に対向する第２の傾斜面を有する少なくとも２個の離間した凸部を含む。このようにすることにより、第１部分が第２部分に対して回転すると、雄型突出部が戻り止めを乗り越えて隣接面に沿って進むため両部分間に軸方向応力が発生する。これは第２の傾斜面が第１の傾斜面上に引き寄せられると凸部が互いに向かって撓むことにより軸方向に動いて耐えられる。軸方向応力は、両部分が新しい姿勢に完全に回転して雄型突出部が再び戻り止め内に着座すると、継手において割出し面を互いに近づかせる。ポリマー材料は、彫刻面や金属仕上げに限らず多様な表面仕上げを提供する様々な材料で被覆されてよい。
【００１０】
上述した一体的な凸部支持構造に類似したさらに別の例示的な実施態様において、第１部分と第２部分が開いたフックポジションと閉じたループポジションを含む２個の回転割出し位置の間で選択的に動くように回転連結されているクリップ・ループ構成体が提供される。第１部分は例示的に、継手端部に一体的な凸部アセンブリを有するポリマー部片を含んでおり、部分ループを画定する。第２部分は、凸部アセンブリを受容する凹部を有する継手端部を備えた金属部片を含んでおり、やはり部分ループを画定する。第２部分における凹部は例示的に、金属部片の継手端部のソケットに挿入される別個の部材として形成されている。第１部分（ポリマー部片）の継手端部と反対側の自由端部に、構成体を開いたポジションに回転させてフックを画定したときに他方の支持面であるテーブルと係合する位置で弾性パッドが提供される。凹部及び凸部アセンブリは、合致する円錐形端部と密着嵌合する円筒体であり、この円錐形端部は第１部分と第２部分の軸方向移動を制限する一方、凸部アセンブリが完全に凹部内に着座すると（組立後）、軸方向回転を許す。凸部アセンブリは少なくとも２個の離間した凸部を含み、各々組立中に円筒形凹部に押し込まれると、凸部が互いに向かって内方に曲がることを可能にする傾斜面を有する。組み立てられると、各々の凸部の後面は凹部の内周壁と係合し、それによって軸方向の引抜きに抵抗する。各々の凸部の半円筒形シャフトは、それぞれ他方に対して約１８０度に配置されている軸方向に整合された外部突起を含む。これらの突起は凹部の円筒形内壁沿いにそれぞれ他方に対して１８０度の円周間隔で設けられた対応する窪みと動いて嵌合する。突起と窪みは、継手が開いたポジションと閉じたポジションとの間で回転して割出しできるように位置決めされている。一実施態様において、第２部分の自由端部は、閉じたループポジションで第１部分の自由端部上に載って重なり合う。
【００１１】
更に別の実施態様において、クリップ・ループ構成体（又は開いたポジションと閉じたポジションが割り出された他の閉鎖可能な宝飾品）が回転継手で連結された第１部分と第２部分の各々によって提供され、第１部分と第２部分は各々第１の周形状を画定し、その際に第１部分と第２部分は、第１部分と第２部分の各々の自由端部が重なり合って包囲された姿勢を画定し、及び第１部分が第２部分から（それぞれ他方に対して約１８０度）回転して離れて開いた姿勢である第２の周形状を画定する。包囲された姿勢において、クリップ・ループ構成体はループを画定する。開いた姿勢において、クリップ・ループ構成体はフックを画定する。継手アセンブリ内の割出しアセンブリは、第１部分に対向する１対の溝と、第２部分に選択的にそれぞれ第１の回転ポジションと第２の回転ポジションで各々の溝と係合させるための突出部を有する少なくとも１個のインジケータを含む。インジケータは第２部分のインジケータポケット内に組み付けられており、溝と対向する。継手アセンブリは、第１部分と第２部分の各々を貫通して、第１部分又は第２部分に固定して取り付けられた軸ボルトを含んでおり、この軸ボルトは第１部分又は第２部分に埋設されたナット内にねじ込まれて着座している。第１部分と第２部分の少なくとも１個はポリマーからなり、止めナットは当該部分のポリマー領域に埋設されることができ、このナットは金属からなることができる。第１部分又は第２部分は、軸ボルトに対する凹部と、当該部分のジオメトリと合致する凹部を覆うキャップを含んでいる。凹部は、ナットの面に対して係合して軸ボルトを中心に回転するように構成及び配置されたばねサポートを含んでいる。ばねアセンブリは、互いに向き合って第１部分を第２部分に対して付勢する複数の皿ワッシャーを含んでいる。第１部分と第２部分の少なくとも１個の自由端部は弾性パッドを備えている。第１部分と第２部分は、閉じたポジションで固形宝飾品を画定し、開いたポジションで取り外すことができるように構成及び配置されている。クリップ・ループ構成体は、閉じたポジションで携帯バッグ用のストラップを包囲できる。
【００１２】
以下に添付の図面を参照して本発明を詳しく説明する。
【図面の簡単な説明】
【００１３】
【図１】ハート形輪郭の細部を示す、本発明の実施態様に従うクリップとフック（クリップ）を組み合わせた構成体の側面図である。
【００１４】
【図２】例示的なハンドバッグのハンドルストラップに固定して示された図１のクリップ構成体の斜視図である。
【００１５】
【図３】Ｓ字形フック姿勢に展開された、図１のクリップ構成体の側面図である。
【００１６】
【図４】例示的なハンドバッグをテーブル上面に対して支持した図３に示すＳ字形フック姿勢に展開されたクリップの側面図である。
【００１７】
【図５】本発明の例示的な実施態様に従う回転継手アセンブリの細部を示す図１のクリップ構成体の分解図である。
【００１８】
【図６】図１のクリップ構成体の組み立てられた回転継手アセンブリ部分断面図である。
【００１９】
【図７】図１のクリップ構成体の回転継手に使用する雄型継手インサートと雌型継手インサートの斜視図である。
【００２０】
【図８】本発明によるクリップ構成体の代替実施態様に従う回転継手インサートを含む回転継手の一部露出した分解斜視図である。
【００２１】
【図９】包囲された姿勢で示す本発明の代替実施態様に従う六角形／多角形輪郭を画定するクリップ構成体の側面図である。
【００２２】
【図１０】Ｓ字形フック配置を形成する開いた姿勢で示された図９のクリップ構成体の側面図である。
【００２３】
【図１１】内周を栓抜きアクセサリーとして使用している状態を示す図９のクリップ構成体の部分斜視図である。
【００２４】
【図１２】本発明のさらに別の実施態様に従う表面細部を有する多角形クリップを包囲された姿勢で示す側面図である。
【００２５】
【図１３】本発明の別の実施態様に従い、包囲された姿勢におけるキーチェーンまたはコンピュータ用メモリチェーンの形をしたアクセサリー構成体を含むように適合された代替実施態様に従う円形クリップの側面図である。
【００２６】
【図１４】支持ペグから吊り下がる図１３のクリップ構成体を開いた姿勢で示す側面図である。
【００２７】
【図１５Ａ】本発明の代替実施態様に従う回転継手を採用したブレスレットを包囲された姿勢で示す斜視図である。
【図１５Ｂ】本発明の代替実施態様に従う回転継手を採用したブレスレットを包囲された姿勢で示す斜視図である。
【図１５Ｃ】本発明の代替実施態様に従う回転継手を採用したブレスレットを包囲された姿勢で示す斜視図である。
【図１５Ｄ】本発明の代替実施態様に従う回転継手を採用したブレスレットを包囲された姿勢で示す斜視図である。
【００２８】
【図１６】図１５Ａ〜図１５Ｄのブレスレットを開いた姿勢で示す側面図である。
【００２９】
【図１７】本発明の代替実施態様に従う回転継手を採用したブレスレットまたはフックの部分横断面図である。
【００３０】
【図１８】ポリマー材料から作製され本発明の代替実施態様に従う一体的な回転継手を含むクリップ・フック構成体の側面図である。
【００３１】
【図１９】一体的な回転継手の構成要素を示す図１８のクリップ・フック構成体の分解斜視図である。
【００３２】
【図２０】回転継手の操作要素の細部を示す図１８のクリップ・フック構成体の回転継手領域の部分斜視図である。
【００３３】
【図２１】図１８の線２１−２１で切断された図１８のクリップ・フック構成体の断面図である。
【００３４】
【図２２Ａ】クリップ・フック構成体の代替形状および／または閉鎖配置をそれぞれ包囲された姿勢と開いた姿勢で示す側面図である。
【図２２Ｂ】クリップ・フック構成体の代替形状および／または閉鎖配置をそれぞれ包囲された姿勢と開いた姿勢で示す側面図である。
【図２２Ｃ】クリップ・フック構成体の代替形状および／または閉鎖配置をそれぞれ包囲された姿勢と開いた姿勢で示す側面図である。
【図２２Ｄ】クリップ・フック構成体の代替形状および／または閉鎖配置をそれぞれ包囲された姿勢と開いた姿勢で示す側面図である。
【図２２Ｅ】クリップ・フック構成体の代替形状および／または閉鎖配置をそれぞれ包囲された姿勢と開いた姿勢で示す側面図である。
【図２２Ｆ】クリップ・フック構成体の代替形状および／または閉鎖配置をそれぞれ包囲された姿勢と開いた姿勢で示す側面図である。
【００３５】
【図２３Ａ】それぞれ本発明の代替実施態様に従う回転継手の一体的な凸部アセンブリを含むクリップ・フック構成体（可動包囲構成体）の第１部分の正面図、側面図及び底面図である。
【図２３Ｂ】それぞれ本発明の代替実施態様に従う回転継手の一体的な凸部アセンブリを含むクリップ・フック構成体（可動包囲構成体）の第１部分の正面図、側面図及び底面図である。
【図２３Ｃ】それぞれ本発明の代替実施態様に従う回転継手の一体的な凸部アセンブリを含むクリップ・フック構成体（可動包囲構成体）の第１部分の正面図、側面図及び底面図である。
【００３６】
【図２４Ａ】それぞれ図２３Ａ〜図２３Ｃに従う回転継手の一体的な凸部アセンブリを受容する凹部を含むクリップ・フック構成体（可動包囲構成体）の第１部分の正面図、側面図及び底面図である。
【図２４Ｂ】それぞれ図２３Ａ〜図２３Ｃに従う回転継手の一体的な凸部アセンブリを受容する凹部を含むクリップ・フック構成体（可動包囲構成体）の第１部分の正面図、側面図及び底面図である。
【図２４Ｃ】それぞれ図２３Ａ〜図２３Ｃに従う回転継手の一体的な凸部アセンブリを受容する凹部を含むクリップ・フック構成体（可動包囲構成体）の第１部分の正面図、側面図及び底面図である。
【００３７】
【図２５Ａ】図２３Ａ〜図２３Ｃの凸部アセンブリと図２４Ａ〜図２４Ｃの凹部をそれぞれ２つの直交回転姿勢で示す露出部分側面図である。
【図２５Ｂ】図２３Ａ〜図２３Ｃの凸部アセンブリと図２４Ａ〜図２４Ｃの凹部をそれぞれ２つの直交回転姿勢で示す露出部分側面図である。
【００３８】
【図２５Ｃ】図２３Ａから図２３Ｃの凸部アセンブリの正面図である。
【００３９】
【図２５Ｄ】図２３Ａ〜図２３Ｃの凸部アセンブリと図２４Ａ〜図２４Ｃの凹部の露出斜視図である。
【００４０】
【図２６】例示的な実施態様のクリップ・フック構成体の第１部分と第２部分の分解斜視図である。
【００４１】
【図２７】例示的な実施態様のクリップ・フック構成体の組み立てられた継手構成体を閉じたループポジションを示す露出正面図である。
【００４２】
【図２８】例示的な実施態様のクリップ・フック構成体の開いたフックポジションにおける斜視図である。
【００４３】
【図２９】別の例示的な実施態様に従う種々の装飾的形状を有する、図２３Ａ〜図２８の例示的な実施態様の継手アセンブリを採用したクリップ・フック構成体の閉じたポジションにおける正面図である。
【００４４】
【図３０】図２９の例示的な実施態様に従うクリップ・フック構成体の開いたポジションにおける正面図である。
【００４５】
【図３１】別の例示的な実施態様に従う単純化された継手アセンブリを採用したクリップ・フック構成体の閉じたポジションにおける正面図である。
【００４６】
【図３２】例示的な実施態様に従う図２９〜図３１の例示的な実施態様のクリップ・フック構成体の第１部分と第２部分の分解斜視図である。
【００４７】
【図３３】例示的な実施態様のクリップ・フック構成体の閉じたポジションにおける斜視図である。
【００４８】
【図３４】例示的な実施態様に従うクリップ・フック構成体の第１部分を図３２の線３４−３４に沿った分解横断面図である。
【００４９】
【図３５】例示的な実施態様に従うクリップ・フック構成体の第１部分の分解斜視図である。
【００５０】
【図３６】例示的な実施態様に従うクリップ・フック構成体の第１部分の拡大分解斜視図である。
【００５１】
【図３７】例示的な実施態様に従うクリップ・フック構成体の第２部分の拡大分解図である。
【００５２】
【図３８】例示的な実施態様に従う第１部分のエンドキャップの拡大斜視図である。
【００５３】
【図３９】例示的な実施態様に従う図３３の線３９−３９に沿った断面図である。
【発明を実施するための形態】
【００５４】
図１は、本発明の例示的な実施態様に従うクリップ・フック構成体１００の側面図を示す。明らかなように、クリップ・フック構成体１００（本明細書中では「クリップ」とも呼ぶ）は、各々他方の輪郭形状の実質的鏡像を規定する１対の部分１１０及び１２０からなる。この実施態様における各部分１１０、１２０は、この実施態様における全体的なハート形輪郭の半部をなしている。各クリップ部分１１０、１２０は、この実施態様における最大幅ＷＨ約５０〜６０ｍｍと、この実施態様における高さＨ約７０〜９０ｍｍを規定している。もちろん代替的な実施態様において実際の幅と高さは極めて可変である。一般に、選択された幅と高さは、図示されているように閉じたときに、バッグ、手荷物又は他の手提げ／肩掛けアイテムのハンドル、ショルダーストラップ又は他の携帯部材を通すのに十分な内部領域１３０を提供する。また、幅ＷＨは、（以下に説明するように）多様な支持面と係合するために十分大きいフック形状を許容する。
【００５５】
各部分１１０及び１２０の上側（自由）端部１４０及び１４２は、弾性インサート１４４及び１４６を含んでいる。このインサートは各端部１４０及び１４２内に形成されたスロット又はキー溝によってそれぞれ固定され得る。各部分１１０及び１２０の本体は、様々な仕上げ面を施した多様な材料で作ることができる。一実施態様において、部分１１０及び１２０はステンレス鋼から作られ、艶消し仕上げ又は光沢仕上げが施される。代替的な実施態様において、部分１１０及び１２０は全部又は一部中空であってよい。代替として、以下に記載する機能を実行するのに十分な保持強度を提供する限り、耐久性プラスチック又は他の材料を採用できる。金属から形成されるときは、一実施態様において慣用的な鋳造技術を採用することができる。上側端部／自由端部１４０及び１４２はそれらの間に小さいギャップ１５０を規定している。この実施態様では両端部は互いに連結されておらず、いかなる留め金又はその他の機構も設けられていない。以下に説明するように、代替的な実施態様では自由端部が不注意に回転して包囲された姿勢から出るのを防ぐために留め金又はロック機構を提供できる。
【００５６】
図２に示すように、クリップ１００は（図１に示すような）包囲された姿勢で慣用的なハンドバッグ２２０の携帯用ハンドル２１０の周りに取り付けて持ち運びできる。それはこの姿勢では比較的目立つことなくバッグ２２０に装飾的アクセントを与えている。代替的な配置構成において、クリップ１００はベルト通し、ショルダーストラップ、又は、一般にクリップが不注意に外れるのを防ぐ他の包囲された構造若しくはストラップ構造に取り付けて持ち運びできる。ギャップ１５０は、ハンドル２１０又は他の携帯部材がすり抜けるのを防ぐために十分狭くなっている（例えば数ミリメートル以下）。
【００５７】
再び図１を参照すると、本発明の一実施態様に従い、部分１１０及び１２０の対向する端部１６０及び１６２は、それぞれ回転継手１７０と埋設された割出しアセンブリによって連結されている。この割出しアセンブリについては以下に詳しく説明する。一般に、割出しアセンブリは、両部分が図１に示すように包囲された姿勢に維持され、又は妥当な角度若しくは回転トルクを適用して１８０度位置に回転させてＳ字形フックを形成するのを許す。
【００５８】
次に図３を参照すると、クリップ１００の部分１１０、１２０は回転継手１７０を中心にして、図１の包囲されたハート形の姿勢からＳ字形フック姿勢に１８０度回転している（両矢曲線３１０）。その結果生じるフックは、弾性先端部材１４４まで延びた上側アーチをなす内周部３３０を規定する上側部分１１０を示している。この上側アーチ３３０は、上側端部を何らかの許容可能な支持面、例えば衣料フック、衣料ハンガー、椅子の背もたれ、ドア又は浴室区画の上面、壁のペグ／釘、又はテーブル／カウンター上面に、自在に滑らないように掛けることを可能にする。部分１２０で表されたフックの低い方の端部は、先端部材１４６より下方に突出している内周部３４０を含んでいる。これにより内周部３４０は、何らかの妥当な携帯ハンドル又は他のループ状構造と係合して携帯ハンドル／ストラップが滑り落ちるのを防ぐことができる下側フックアーチを提供する。同様に、突出した弾性先端部材は、与えられた支持面にフックを固定するのを助ける拡張されたフック端部を規定する。
【００５９】
次に図４に従い、クリップ１００は図３のＳ字形フック姿勢に回転されると、バッグ２２０の図示された携帯用ハンドル２１０を下側フック端部（部分１２０）で支持できる一方、上側フック端部（部分１１０）は摩擦先端部材１４４でテーブル上面４１２の縁部４１０と係合して上面４１２に支持される。フックはバッグをテーブル上面に一部しっかり維持する。なぜならば各内周ループ３３０、３４０の先端部は重力を基準として垂直線４３０上にあるからである。部分１１０及び１２０の、回転継手１７０に隣接する部分４４０及び４５０は、垂直線４３０に対してほぼ鋭角の余角を通る直線上に延びていることに留意されたい。この配置構成により、対向する内周フープ２１０及び２２０は、図示されているように互いに垂直線上に位置することが可能となる。こうしてバッグはテーブル縁部の下方で適切なバランスを保つと同時に、フックはテーブル上面と係合してバランスを保つ。ここに記載する種々の実施態様において、クリップの両部分は、２様の反対の姿勢（包囲された姿勢と開いた姿勢／Ｓ字形フック）において実質的に共通平面上に留まり、バランスを保つのを助けていることに留意されたい。代替的な実施態様において、２個（又はそれ以上）の部分はより複雑な３次元形状で形成されて、共通平面から逸脱しても実質的に包囲された姿勢を保ち、またフックが吊り下げたアイテムを支持面に対して効果的にバランスさせるのを可能にしてもよい。
【００６０】
クリップの上側フック端部（部分１１０）は何らかの妥当な支持部材に固定できる一方、その下方ではバッグ又はその他の私物をしっかり支えていることは明白であろう。そのような支持部材は衣料ハンガー、コート掛け、ペグ、椅子の背もたれ、ハンドルバー、自動車のハンドグリップ、ドアノブを含むが、これらに限られない。また、代替的な実施態様においてこれらの部分は全体形状を非対称的に分割したものであってよく、及び／又は全体形状は非対称的であってよいことにも留意されたい。このように「部分」という言葉は単数、複数を問わず、回転継手を中心としたクリップの全体的な幾何学形状の任意の分割を含むものと広く解されるべきである。さらに、追加の継手を提供して、クリップ全体の３個以上の部分を作り出し、各々クリップ形状を複数の異なる配置構成に変形できるようにすることが可能である。
【００６１】
ここで、回転ヒンジ１７０の割出しアセンブリをさらに詳細に示す図５〜図７を参照する。上述したように、回転継手１７０は２個の直径方向で反対側（１８０度）のロック位置を提供し、各々のロック位置は使用者が回転継手１７０で部分１１０、１２０間に妥当な大きさの回転トルクを加えることによって選択できる。一方のロック位置は図１に示すように包囲された姿勢を生み出し、他方のロック位置は図３に示すように例示的なＳ字形フック姿勢を生み出す。各部分１１０及び１２０の対向する継手端部１６０と１６２は、１対の割出しインサート５１０及び５２０の各々を固定するように整合されている。インサート５１０と５２０は互いに係合するように整合されている。インサート５１０は半径方向に配置された１対の雄型楔（突出部）７１０を含み、反対側のインサート５２０はこれと相対する１対の雌型溝（戻り止め）７２０を含んでいる。この実施態様では、継手端部１６０は重ね合わせた状態でインサート５１０と５２０の両方を収容するのに十分深い円筒形凹部又は開口部５３０有している。この実施態様では凹部５３０の内径ＤＤは約８〜９ミリメートルである。各割出しインサート５１０、５２０の外径ＤＩは凹部の直径ＤＤに等しいか、それより小さいので、インサート５１０と５２０は長手方向／半径方向の遊びがほとんどなく凹部５３０内に収容できる。雄型／楔インサート５１０は凹部５３０内の内部平坦部／ショルダー５４０と係合するように整合された後方に突出する１対の平坦部７４０を含んでいる。同様に、対向する継手端部１６２はわずかに隆起した基部５５０を含んでおり、この基部５５０は雌型／溝インサート５２０の中空後部内の対応する平坦部７５０（図７に仮想的に示されている）と係合するように整合された平坦部を含んでいる。インサート平坦部７４０及び７５０はそれぞれの端部１６０及び１６２と係合し、それによりインサート５１０及び５２０が（それぞれ）部分１１０及び１２０に対して回転するのを制限する。このようにして使用者が部分１１０を継手１７０を中心にして部分１２０に対して回転させると、インサート５１０及び５２０は同様に互いに対して回転する。
【００６２】
図示されているように、突出部又は楔７１０及びこれと合致する戻り止め又は溝７２０は、それぞれ外方と内方に約０．３〜０．４ミリメートル突出している。各インサートの全体深さは約１〜３ミリメートルである。この寸法は極めて可変である。インサート５１０、５２０は耐久性材料から作られており、この材料は、楔７１０が雌型／溝インサート５２０の表面を擦ることにより、また雌型インサートの外面が凹部５３０の金属面を擦ることによって生み出される摩擦と摩耗を低減できる。この材料はポリオキシメチレン（ＰＯＭ）などの高性能ポリマーであってよい。他の材料も明確に想定されている。図７に示すように、楔７１０と溝若しくは戻り止め７２０は半径方向外方に広がっている。代替的な実施態様において多様な幾何学形状が使用され得る。代替的な実施態様では、雄型及び雌型割出し要素は図示された角型形状を呈する代わりに、丸みを帯びることができる（例えば図８参照）。
【００６３】
各部分１１０と１２０の端部１６０及び１６２に隣接する外壁は、それぞれ外方に面している１対の同心的なポケット５６０及び５６２を規定する。ポケット５６０、５６２は、継手のばね軸アセンブリを挿入できる貫通孔を提供する。この実施態様では、継手の軸は細長い円筒形胴部５７２と直径がより小さいねじ山端部５７４とを有する機械加工されたねじ５７０である。この実施態様では一連のカップ状の鋼製皿ワッシャー５７６がばねアセンブリを提供する。代替的な実施態様において慣用的な圧縮コイルばねを（他のタイプのばねと並んで）採用できることに留意されたい。ワッシャー５７６は（部分１２０の）ポケット５６２内に形成された外側の円筒形凹部６３０内に着座している。ワッシャー５７６は軸ねじ５７０の円筒シャフト５７２部分の周りに嵌め込まれている。図示されているように、ワッシャー５７６は互いに対向する方向でカップ状になるように向けられており、それによって図示されているように３個の離散的な圧縮ばね部材を提供する。この実施態様では、このばね形状を作り出すために６個のワッシャーが採用されている。代替的な実施態様において異なるばね力を生み出すために、ワッシャーの数をワッシャーの厚さ及び／又はばね定数と共に変えることができる。軸ねじの頭部５８０の直径はワッシャー５７６の内径よりわずかに大きく、それにより頭部６８０がワッシャーを円筒形凹部６３０内の狭くされたショルダー６４０に対して保持できるようになっている。軸ねじ５７０のねじ山端部５７４は、部分１１０の反対側端部１６０内のねじ切り壁６５０内に締め込まれている。軸ねじ５７０の円筒形シャフト部５７２の前方肩部５８２は、２個の継手端部１６０と１６２との間に残るギャップ６６０を設定及び維持するのを助ける。ワッシャー５７６は締め付けられるとばね圧縮されて継手を維持する。ただし、まだワッシャーを圧縮する十分な余地があるので、インサート楔７１０は溝７２０を乗り越えることができる。ギャップ６６０は比較的小さく、両部分間の遊びを防ぐ。ねじ頭部５８０は適切なトルクに締め付けることを可能にするために、フィリップス形又はその他の適切な頭部形状を有することができる。例示的な実施態様において、軸ねじ５７０は低摩擦面仕上げ（例えばニッケルめっき）を施した鋼などの硬質金属から作られている。軸ねじ５７０は直径約３〜５ミリメートルを有することができる。
【００６４】
ポケット５６０、５６２はそれぞれプレスばめプラグ５６４、５６６によって塞がれる。プラグ５６４、５６６は、それぞれ包囲する部分１１０、１２０の輪郭面と合致する外側キャップ面５６８、５６９を含んでいる。このようにすると、各キャップ面５６８、５６９に適切な表面被覆又はめっきを提供でき、包囲する表面仕上げと視覚的に調和する。一実施態様において、プラグ５６２、５６４はＡＢＳプラスチックから作られている。これらはそれぞれのポケット内に摩擦ばめ及び／又は適切な接着剤で固定できる。
【００６５】
操作時に両部分１１０と１２０との間に十分な回転トルクを加えて、部分１１０とそのインサート５１０を部分１２０とインサート５２０に対して回転させると、楔７１０は溝７２０を越え出ることによりねじを矢印６８０の方向に動かす。この運動はばねワッシャー５７６の圧縮を引き起こす。楔７１０はインサート５２０の中間の溝のない平坦面７６０に沿って滑動し、再び溝配置構成７２０に行き着く。このとき両部分は最初の位置から１８０度回転している。ワッシャーのばね偏倚により楔７１０は溝内に押し入れられて、より多くの回転トルクが継手１７０に加えられるまでそこに保持される。
【００６６】
さらに図５を参照して、各端部１４０及び１４２はそれぞれキー溝５９０及び５９２をそれぞれ含んでおり、これらのキー溝はそれぞれ各弾性先端部材１４４及び１４６にキー構造５９４及び５９６を受容することに留意されたい。これらの先端部材は本発明の種々の実施態様に従いロック部材、接着剤、又は他の任意の許容可能な技術で固定できる。先端部材を形成する許容可能な材料は、熱可塑性エラストマーＴＰＥである。その他の材料も明確に想定されている。先端部材のサイズ及び形状は極めて可変であり、代替的な実施態様ではより長くすることができる。
【００６７】
図８は、本発明の代替的な実施態様に従う回転継手アセンブリ８１０を示す。構造の部分８２０と８３０は、上で一般的に説明したように包囲された姿勢と１８０度反対のフック姿勢を交互に規定する周形状を有していると想定できる。この実施態様では、各部分８２０及び８３０の断面はややくびれた（８の字）形状を規定する。この形状は各端部がインサート８４０及び８５０を向き合う８の字形の凹部に受容することを可能にする。凹部が非円形であることにより、インサートがいったん着座すると各部分に対して回転することが妨げられる。インサート８４０は１対の戻り止め若しくは孔８６０を含んでおり、これらは反対側のインサート８５０内の１対の隆起した半球体８７０と向き合っている。ねじ山端部８８２を有する軸ねじ８８０が、上述されたものと同様に設けられている。ねじは、一連の皿ワッシャー８８６又は他の許容可能なばねアセンブリも収容する円筒形受け口８８４を通って進入する。ねじ山端部８８２は部分８２０の端部に設けられた一連のねじ山８８８によって受容される。代替的な実施態様において図１のクリップは、（一方の端部に両インサート５１０、５２０を受容する唯一の凹部５３０を設けるのではなく）図８の要領でそれぞれのインサート受容凹部と、それぞれ反対側の対応する継手端部に位置するインサートとを備えることができることに留意されたい。
【００６８】
ここでに図９〜図１１を参照すると、これらは本発明に従うクリップとフックを組み合わせた構造９００のより「男性的な」バージョンを示している。図９に示すように、クリップ９００は１対の部分９１０及び９２０を含んでおり、これらの部分は共同で図示の包囲された姿勢において全体的な六角形を規定する。内周と外周は各々多角形のセグメント若しくは辺に沿って実質的に直線的であり、わずかに丸みを帯びた角部９３０及び９３２によって分離されている。底部の回転継手９４０は、図１〜図８の実施態様に関して一般的に上述した要領で両部分が互いに対して回転するのを可能にする。反対側のギャップ９５０は、各部分９１０及び９２０の頂部のそれぞれの自由端部９６０及び９６２に設けられている。クリップ９００は任意の耐久性材料、例えばステンレス鋼から鋳造、機械加工又はその他の妥当な技術を用いて作ることができる。継手９４０は上記のばね負荷された割出し回転継手と同様の方法で作られており、部分９１０と９２０の間に所定のトルクを加えることによって同様の仕方で操作されると想定されるべきである。頂部の自由端部９６０及び９６２は各々内側の弾性突出部９７０及び９７２を付けている。これらの突出部は上述したようにテーブル面と係合するときに各々摩擦部材として作用し、またフック端部を提供してフック（図１０）が支持部材から滑り落ちるのを防ぐ。
【００６９】
見られる通り、自由端部９６２はロック機構として作用する上側延長部９８０を有することができる。すなわち、延長部９８０は上方に突出しており、使用者の指又は親指で到達可能である。この延長部は合致するスロット内で後方に（矢印９８２）動かして、対向する自由端部９６０内に形成された反対側のスロット９８４との係合から取り出すことができる。延長部は回転軸上のばね負荷された金属部材、また弾性突出部９７０の弾性延長部であることができる。継手９４０の割出し機能が図９に示す包囲された姿勢と図１０に示す１８０度反対の姿勢との間で運動を可能にするので、このロック機構９８２は採用随意である。上述したように、クリップ９００がＳ字形フックを形成する、図１０に示された反対の姿勢は、両部分９１０と９２０の間にトルクを加え、両部分を互いに対して回転させて（両矢１０１０）、フックが最終位置に達すると触角的クリックが感じられることによって規定される。
【００７０】
代替的な実施態様において、自由端部はロック機構として磁力で吸引する構造（図示せず）を含むことができる。そのような構造は、２個の連結された部分を解除するために自由端部に必要とされる追加のトルクを保証する。ここで説明されるように、自由端部と関連した「ロック機構」という用語は、そのような機械的及び磁気的配置構成を含むものとする。
【００７１】
図１１を参照して、例示的なクリップ９００は、追加アクセサリーとして特定の仕事をすることを可能にする内周形状を有する。図示されているように、慣用的な王冠１１１２を付けた瓶１１１０が、部分９１０の中心多角形セグメント１１２０で内周に挿入される。セグメント１１２０の内側面（及び潜在的に反対側の内側面１１３０）は図示された瓶のキャップと係合する形状及びサイズで形成されている。辺１１２０の内角（９３０）は慣用的な瓶の端部とキャップの特定の直径に対して適切なクリアランスを提供するように寸法設計されている。このようにすると瓶を開けるための標準的な動きを加えることにより、クリップ９００は王冠１１１２を取り外すことができる。他の多様な道具及び／又はアクセサリー（以下に説明する）、例えば小型ねじまわし、爪切り、ナイフの刃などを形成でき、又はクリップの種々のセグメントに挿入できることは明白であろう。このスタイルとタイプのクリップは包囲された姿勢でベルト通しに装着し、バッグや書類カバンに載せ、又はクーラーに取り付けるなどして携帯できる。
【００７２】
さらに図１２に示すような多角形クリップの実施態様に関して、いかなるクリップも当該クリップのスタイルと目的に適った装飾的表面形状を備えることができる。図１２に示すように、上述したクリップに機能と構造が類似しているクリップ１２００は、各部分のそれぞれのセグメント内に一連の機械加工された貫通孔や深い切れ込み１２１０、１２２０、１２３０を含む。継手１２４０に隣接した低い方のセクションは、回転継手のばね及びねじ軸機構を収容する充填区域１２５０を含んでいる。
【００７３】
ここに記載されたいかなるクリップも衣料アクセサリーや機能的宝飾品の部片など多様な役割で使用できることが明確に想定されている。したがってクリップ部分のサイズや、その結果生じるクリップ内周の包囲された面積は種々の実施態様に応じて極めて可変である。特定の実施態様において、クリップはネックレスや、バッグ又は財布ストラップより小さいアイテム（例えばベルト通し）に装着するサイズに設計できる。図１３及び図１４を参照すると、これらは内径ＤＣが１インチ前後の円周形状（この他にも可能な無数の形状が想定されている）で形成されたアクセサリークリップ１３００を示している。このような形状とサイズはネックチェーン（例えば例示のチェーン１３０２）、ボタン穴又はベルト通し（及びその他の箇所）に装着するのに適している。
【００７４】
この実施態様は、２個の端部１３３０、１３３２を連結する回転継手１３２０を備えて再び鏡像半部（半円形）を規定する１対の対向する部分１３１０、１３１２と、反対側でクリップが包囲された姿勢（図１３）において宝飾チェーンなどの支持アイテムから抜け落ちるのを防ぐ最小限のギャップで対向する１対の連結されていない端部１３４０、１３４２とを含んでいる。図９に示されているように、２個の自由端部１３４０と１３４２との間にロック部材が採用随意に設けられてよい。回転継手１３２０は割出しアセンブリを含んでも含まなくてもよい。割出しは図１〜図８の実施態様において上述したものより小さいバージョンとして構成できる。継手１３２０は、対向する部分１３１０、１３１２が軸線（破線１３７０）を中心にして、図１３の包囲された姿勢と図１４に示すＳ字形フック姿勢との間で回転することを可能にする。軸（及び該当する場合はばねアセンブリ）は、上述した要領でプラグ１３８０、１８８２によって覆われた外側空洞を通して挿入できる。２個の半部を回転可能に取り付けるために、クリップ構造に片方又は両方の外側空洞を形成することを必要としない他の機構（例えばスナップ留め）も使用できる。各自由端部１３４０、１３４２上の弾性先端部材１３５０、１３５２はそれぞれ半径方向内方に拡張されて強化されたフック面を提供し、それにより図１４に示すようにクリップ１３００がフック形状に展開されて支持面（ペグ１４１０）から吊り下がるときに一層の安定性を提供する。
【００７５】
明らかなように、この実施態様は追加のアクセサリー構造を含んでいる。この構造は部分１３１０の外面／外周にはんだ付け／溶接（又は他の仕方で接合）されたループ１３９０が組み付けられている。この実施態様におけるループ１３９０は、例示のキー１３９４を付けたキーリング１３９２を支持する。ループ１３９０を介して他の多様なアイテム、例えば例示のコンピュータ用メモリスティック１３９６（仮想的に示されている）を取り付けることができる。このようにここで用いる「アクセサリー構造」という用語は、広く他のアイテムをクリップと相互接続することを可能にするために取り付ける多様な構造を含むものと解されるべきである。この実施態様におけるアクセサリー構造／ループ１３９０は部分１３４０の外周で、取り付けられたアクセサリー（キー１３９４）が図示されたＳ字形フック姿勢において部分１３１２の上側アーチを通る重力と平行な垂直線（破線１４２０）に沿って吊り下げる位置に配置されている。こうしてアクセサリーは、支持面（例示のペグ１４１０）に取り付けたときにフックのバランスを保つように位置決めされている。ループ１３９０（又は他のアクセサリー構造）が１種類以上のアクセサリーを取り付けるために使用できることは明白であろう。このような可能なアクセサリーは、携帯電話、個人情報端末（ＰＤＡ）、唐辛子スプレー缶、懐中電灯、鉛筆削り、爪切り及び／又は化粧用品などを含むが、これらに限らない。
【００７６】
図示されたクリップ１３００（及び／又はここで想定及び記載される他のクリップ）は、一方の部分に直接アクセサリーを取り付けると同時に、他方の部分は支持面から吊り下がるように使用できることも想定されていることに留意されたい。例えば使用者はフックを広げてシャワー室のペグに掛け、シャワーを浴びている間、反対側の部分に宝飾品や時計などを吊るすことができる。上述したようにより大きいサイズのクリップはジムバッグに付けて持ち運び、ロッカーで衣料を吊るしたり、シャワーを浴びている間、シャワーカーテンロッドからタオルを吊り下げたりするのに使用できる。無数の可能な応用が想定されている。
【００７７】
上述したようにクリップ・フック構成体は代替として宝飾品及び他の開閉可能なアイテムに組み入れることができる。例示的な実施態様において図１５Ａは説明のためのブレスレット１５００の斜視図を包囲された姿勢で示しているが、これはねじることによって開いたＳ字形フック構成に転換できる。ブレスレット１５０２の本体は手首や足首を包囲するように整えられており、一方の自由端部にＪ形曲線部１５０４を有している。ブレスレット１５００は十分な回転トルクを加えて操作される回転継手１５０６を有する。ブレスレット１５００は金属、例えば金めっき合金、銀めっき合金、プラチナめっき合金、又は強度と装着者に心地よさを提供する他の金属からなる。ブレスレットの表面は多様な刻み込み又はエンボスデザインで装飾でき、種々のタイプの宝石やその組合せで飾ることができる。例示のブレスレットの全体形状は、図１５Ａに包囲された姿勢で図示されている。ブレスレットは一般に、一方の自由端部に規定されたＪ形曲線部１５０４と共通の平面内にある（「共平面的」）。ブレスレットは共平面的であり、自由端部が互いに対向して閉鎖状態を形成する。しかしながらＪ形曲線部をした端部は実際には平面の外側に突き出して、追加の装飾的効果を提供する。形状は非対称的形状、蛇行形状、ねじれ形状、又は他の形状であってよいことが想定されている。
【００７８】
図１５Ｂは、図１５Ａに記載した例示のブレスレットの平面図１５１０である。この図はさらにＪ形曲線部１５０４の外形も示しているが、これは以下に詳しく説明するように、装飾的アクセントの機能と、開いたＳ字形フック姿勢における下側フックの両方の働きをすると見なすことができる。
【００７９】
図１５Ｃは、図１５Ａに記載した例示のブレスレットの側面図１５２０である。ここでは下側部分１５２２と上側部分１５２４（ここでは上側と下側は図１６の開いた姿勢によって規定されている）が回転継手１５０６で連結されている。上側部分１５２４の自由端部１５２８と、下側部分１５２２のＪ形曲線部１５０４との間にはギャップ１５２６があって、両端部がスムーズに完全な円運動をするのを機能的に許す。
【００８０】
図１５Ｄは、図１５Ａに記載した例示のブレスレットの端面図である。端面キャップ１５３２及び１５３４が回転継手アセンブリの進入凹部を覆っている（以下により詳しく説明する）。
【００８１】
図１６は、図１５Ａに記載した例示のブレスレットの開いたＳ字形フック姿勢１６００における側面図である。使用者はブレスレット１５０２の本体を自分の体から取り外し、両手で上側部分１５２４と下側部分１５２２に均等なねじり力を加えて、回転継手機構がブレスレット１５０２の本体を開いたＳ字形フック姿勢１６００でロックするまで、回転継手１５０６を中心に回転させる。このときクリップ及びフックは上述したように、バッグ及び手提げ／肩掛けアイテムを吊り下げるのを容易にするように構成される。
【００８２】
回転継手機構アセンブリ１７０２は図１７に断面図１７００で示されている。例示的なブレスレットの回転継手機構アセンブリ１７０２の機能は、図７で述べた機構と同様である。下側部分１５２２は回転継手１５０６で上側部分１５２４に連結されている。各部分１５２２及び１５２４の向き合う継手端部１７０４と１７０６は、１対の割出しインサート１７０８及び１７１０の各々を固定するように整合されている。インサート１７０８及び１７１０は互いに係合するように整合されている。インサート５１０は半径方向に配置された１対の雄形楔（突出部）を上記７１０と同様に含み、反対側のインサート１７１２は対向する１対の雌形溝（戻り止め）を上記７２０と同様に含んでいる。この実施態様では、向き合う継手端部１７０４と１７０６は円筒ポケット、それぞれ１７１２及び１７１４を含んでいる。この実施態様ではポケット１７１２の内径ＥＥは約８〜９ミリメートルである。この実施態様ではポケット１７１４の内径ＦＦは約８〜９ミリメートルである。インサート１７０８、１７１０は、わずかな長手方向／半径方向の遊びで向き合う継手端部１７０４、１７０６内に刻み込まれた溝、それぞれ１７１６及び１７１８に着座している。これによりインサート１７０８、１７１０はそれぞれの継手端部１７０４、１７０６と係合して、各部分１５２２及び１５２４に対して相対的に回転するのを制限する。こうして使用者が部分１５２２を回転継手１５０６を中心にして部分１５２４に対して回転させると、インサート１７０８、１７１０は同様に互いに対して回転する。
【００８３】
インサート１７０８の突出部若しくは楔は上記７１０と同様に機能し、これと合致するインサート１７１０の戻り止め若しくは溝は、上記７２０と同様に機能し、それぞれ外方と内方に約０．３〜０．４ミリメートル突出している。各インサートの全体的な深さは約１〜３ミリメートルである。この寸法は極めて可変である。インサート１７０８、１７１０は、楔が雌形／溝インサートの表面を擦り、また雌形インサートの外面がそれぞれ継手端部１７０４、１７０６を擦ることによって生み出される摩擦と摩耗を低減できる耐久性材料から作られている。この材料は、ポリオキシメチレン（ＰＯＭ）など高性能ポリマーであってよい。他の材料も明確に想定されている。代替的な実施態様においてインサート１７０８及び１７１０に対して多様な幾何学形状を使用できる。代替的な実施態様では、雄形及び雌形割出し要素は図示された角型形状を呈する代わりに、丸みを帯びることができる（例えば図８参照）。
【００８４】
継手端部１７０４及び１７０６と隣接する各自由端部１５２２、１５２４の外壁は、それぞれ外方に面している１対の同心的ポケット１７１２、１７１４を規定する。ポケット１７１２、１７１４は継手のばね軸アセンブリを挿入できる貫通孔を提供する。この実施態様では継手の軸は、細長い円筒形胴部１７２２、直径が等しい端部１７２４、及び直径がより大きい頭部１７２６を有する機械加工された軸シャフトピン１７２０である。この実施態様では一連のカップ状の鋼製皿ワッシャー１７３０がばねアセンブリを提供する。代替的な実施態様において慣用的な圧縮コイルばねを（他のタイプのばねと並んで）採用できることに留意されたい。ワッシャー１７３０は同心的ポケット１７１２、１７１４のそれぞれの内壁１７３２に着座している。ワッシャー１７３０はワッシャー１７３４を保持することにより所定の場所に維持される。ワッシャー１７３０は軸シャフトピン１７２０の円筒シャフト１７４０部分の周りに嵌め込まれている。図示されているように、ワッシャー１７３０は互いに向き合ってカップ状になるように向けられており、それによって図示されているように２個の離散的な圧縮ばね部材を提供する。
【００８５】
この実施態様では、このばね形状を作り出すために６個のワッシャーが採用されている。ワッシャーはシャフトピン１７２０の各側に配設されている。これによってより多くのワッシャーを採用しながら、より低い外形が可能となる。さらにピンは軸方向運動において十分な遊びを提供でき、その端部１７２４（頭部なし）が組立時にそれぞれの同心的ポケットから十分駆り立てられることにより、ロッキングワッシャー（例えば以下に記載するサークリップ１７４２）を適用できるようにする。代替的な実施態様において、異なるばね力を生み出すために、ワッシャーの数をワッシャーの厚さ及び／又はばね定数と共に変えることができる。軸シャフトピンの頭部１７２６は直径がワッシャー１７３０の内径よりわずかに大きく、これにより頭部１７２６はワッシャー１７３０をポケット１７１２内の継手端部１７０４の内壁１７３２に対して保持することが可能である。軸シャフトピン１７２０の端部１７２４は、取外し可能なロッキングワッシャー１７４２（又は他の軸方向にロックする構造）と適合する方形溝１７４４が刻まれており、皿ワッシャーをポケット１７１２内の継手端部１７０４の内壁１７３２に保持する。ロッキングワッシャー１７４２とワッシャー１７３０の応力を組み合わせることにより、２個の継手端部１７０４と１７０６との間に残るギャップ１７５０を設定及び維持するのを助ける。ワッシャー１７３０は組み立てられるとばね圧縮されて継手を維持する。しかしながらワッシャーを圧縮する十分な余地がまだあるので、インサート１７０８、１７１０のインサート楔は戻り止め受け口と相応に相互作用（相互係合）して、１つの位置に着座した後、反対側の座に移行する。ギャップ１７５０は比較的小さく、自由端部１５２２と１５２４の間の遊びを防ぐ。例示的な実施態様において、軸シャフトピン１７２０は低摩擦表面仕上げ（例えばニッケルめっき）を施した鋼などの硬質金属から作られている。軸シャフトピン１７２０の直径は約３〜５ミリメートルであることができる。
【００８６】
ポケット１７１２、１７１４はそれぞれプレスばめプラグ１５３２、１５３４によって塞がれる。プラグ１５３２、１５３４は、それぞれ包囲する自由端部１５２２、１５２４の輪郭面と合致する外側キャップ面１７５２、１７５４を含んでいる。このようにすると、各キャップ面１７５２、１７５４に適切な表面被覆又はめっきを提供でき、包囲する表面仕上げと視覚的に調和する。一実施態様において、プラグ１５３２、１５３４はＡＢＳプラスチックから作られている。これらはそれぞれのポケット内に摩擦ばめ及び／又は適切な接着剤で固定できる。
【００８７】
操作時に、両部分１５２２、１５２４に十分な回転トルクを加えて部分１５２２とそのインサート１７０８を部分１５２４とインサート１７１０に対して回転させると、それぞれの楔（図示せず）は戻り止め受け口（図示せず）を越え出て、それにより軸シャフトピン１７２０を矢印１７６０の方向に動かす。この運動はばねワッシャー１７３０の圧縮を引き起こす。それぞれの楔はインサート１７１０の中間の溝のない平坦面に沿って滑動して、上記図６と同様の要領で再び溝構成に行き着く。このとき両部分は最初の位置から１８０度回転している。ワッシャーのばね偏倚によりそれぞれの楔は溝内に押し入れられて、より多くの回転トルクが回転継手１５０６に加えられるまでそこに保持される。
【００８８】
クリップ及びフックの代替的な実施態様において、図１８はプラスチック材料、例えば高性能ポリマーから作られたクリップ１８００を示している。例示のクリップはハート形であり、上側部分１８０２、下側部分１８０４及び回転継手アセンブリ１８０６からなる。例示のクリップ１８００は上記図１のクリップと同一の仕方で回転的に機能するが、回転継手アセンブリ１８０６は以下に詳しく説明するように構造が単純化されている。クリップ１８００は部品がより少なく製造工程も少ないのでコストが低くなる。クリップ材料もポリマーと金属又は他の所望の材料を組み合わせることができる。
【００８９】
図１８のハート形クリップは図１９に分解図１９００で示されている。部分１８０２、１８０４のそれぞれの自由端部１８１０、１８２０は、それぞれ弾性先端部材１８１６、１８２６の各々にキー構造１８１４、１８２４を受容するキー溝１８１２、１８１４を含んでいる。先端部材を形成するための許容可能な材料は、熱可塑性エラストマーＴＰＥである。他の材料も明確に想定されている。先端部材のサイズ及び形状は極めて可変であり、代替的な実施態様ではより長い延長部を規定できる。回転継手アセンブリ１８０６は、部分１８０４の継手端部１８４０から形成された軸シャフトアセンブリ１８３０を有する。代替的な実施態様において軸シャフトアセンブリ１８３０は、部分１８０４の継手端部１８４０に挿入されて固定され別個の部材であることができる。軸シャフトアセンブリ１８３０は２個の一体的な突起１８３２からなり、それぞれ各部分と共通に形成された直線状の頚部１８３４と角度のある頭部１８３６とを有する半円筒を規定する。部分１８０２の継手端部１８４２は、凹部１８５２につながる貫通孔である凹部開口１８５０を備えている。凹部１８５０の内側の特徴については以下に詳しく説明する。継手端部１８４２は以下に詳しく説明する楔１８５４を備えている。プラグインサート１８５６は上記１５３４と同様の機能を有し、凹部１８５２を覆う。
【００９０】
図２０は、図１８に示すハート形クリップの回転継手の詳細図２０００である。部分１８０２の継手端部１８４２は、２個の突き出した楔１８５４を付けた平坦面２００２を有している。楔１８５４は傾斜した側面２０１２と平坦な頂部２０１４を有する。楔１８５４は直径方向で互いに反対側にあり、平坦な頂部２０１４の間に１８０度のアーチを提供する。継手端部１８４２の中心部は貫通孔である凹部開口１８５０を有しており、その後部はプラグ１８５６で覆われている。部分１８０４は、２個の受け口２０２２のある平坦面１９２０を備えた継手端部１８４０を有する。これらの受け口２０２２は楔１８５４と合致する戻り止めであり、楔１８５４が受け口２０２２内に着座してクリップの部分１８０２、１８０４の位置姿勢を固定する。継手端部１８４０の中心部は２個の突起１８３２からなる軸シャフトアセンブリ１８３０を規定する。各突起１８３２は、円筒形頚部１８３４と、直径方向に拡張されて平坦な端部２０３０を付けた円錐形頭部１８３６とを有する半円筒を規定する。突起１８３２は平坦な内側面２０３２で所定の最大幅（休止状態）の楔形の裂け目を規定する。突起１８３２は端部２０３０における突起１８３２間の距離ＤＯがギャップ２０３４の底部の距離ＤＩより大きくなるように構成されたギャップ２０３４を有している。
【００９１】
図２１は回転継手１８０６の断面図２１００である。部分１８０４の継手端部１８４４は部分１８０２の継手端部１８４２と係合している。戻り止め受け口２０２２内に着座してクリップ姿勢位置をロックする楔１８５４は図示されていない。２個の突起１８３４が凹部１８５２内に着座している。ギャップ２０３４は上述したように突起端部２０３０で広くなっている。組立時に部分１８０４が軸方向に部分１８０２内に押し入れられると、突起１８３４は互いに圧縮されてギャップ２０３４を狭める。突起１８３４が凹部開口１８５０を通過した後、凹部開口１８５０の壁２１０４が突起１８３４を圧縮下で保持する。突起１８３４は半径方向外側で壁２１０４に当接して応力ばめを生み出す。この応力下で突起１８３４の傾斜した後部壁２１０８は壁２１０４の傾斜した内側壁２１０６と圧力係合し、それにより両部分１８０２、１８０４を互いに軸方向に駆り立てる（傾斜面が半径方向ベクトルを軸方向力ベクトルに転換する）。これは部分１８０２、１８０４が分離するのを妨げ、連結線に軸方向応力を生み出して回転継手１８０６をロックされた位置に保持する。使用者が均等なねじり力を加えると、軸方向応力が一部克服されて図２０に示された楔１８５４の傾斜壁２０１２は戻り止め受け口２０２２の傾斜壁に乗り上げ、それによりクリップを現在のロック位置から取り出して、別の１８０度ロック位置への運動を促進する。突起１８３４は圧縮下で凹部１８５２内に留まり、ねじり回転の間、回転継手１８０６の完全性を維持する。
【００９２】
突出部及び関連する内側壁の断面形状は、組立時に２個の構成要素が互いに挿入されたら軸方向に抜け出るのを妨げるように作用する追加の環状構成（図示せず）を含むことができる。すなわち、この構成は操作時に楔と戻り止め受け口が互いに通過するのに必要な距離を越えて軸方向に抜け出るのを制限する肩部を提供できる。
【００９３】
図２２Ａ〜図２２Ｆは、クリップ・フック構成体の代替的な形状である。図２２Ａは、回転継手２２０２を備えた角のあるＧ字形クリップ２２０１を包囲された姿勢２２００と開いた姿勢２２１０で示しており、ねじり運動によりハンドバッグ及び／又は他の物品を表面から吊り下げるための開いた姿勢２２１０で角のあるＳ字形フックにすることができる。
【００９４】
図２２Ｂは、回転継手２２２２を備えた丸みのあるＧ字形クリップ２２２１を包囲された姿勢２２２０と開いた姿勢２２３０で示しており、同様にハンドバッグ及び／又は他の物品を表面から吊り下げるために、ねじり運動により開いた姿勢２２３０でＳ字形フックにすることができる。
【００９５】
図２２Ｃは、回転継手２２４２を備えたＯ字形クリップ２２４１を包囲された姿勢２２４０と開いた姿勢２２５０で示しており、ねじり運動によりハンドバッグ及び／又は他の物品を面から吊り下げるための開いた姿勢２２５０でＳ字形フックにすることができる。Ｏ字形クリップ２２４１は部分２２４４と２２４６のオーバーラップ部２２４２をそれらの自由端部に隣接して規定する。このオーバーラップ部２２４２は回転継手２２４２の楔と戻り止め受け口（図示せず）とが回転偏位するので、図示された包囲された姿勢において両部分は非共平面姿勢にある。代替として両部分は、継手が包囲された姿勢でロックされたとき、少なくとも自由端部を互いに対して非共平面位置に置く屈曲部を備えて形成できる。この実施態様ではオーバーラップ部２２４２の故に部分２２４４、２２４６が完全に３６０度回転することは妨げられており、典型的に包囲された姿勢は可能な２様の回転のいずれかでロックされる。
【００９６】
図２２Ｄは、回転継手２２７２を備えたコイル状クリップ２２７１を包囲された姿勢２２７０と開いた姿勢２２７５で示しており、ねじり運動によりハンドバッグ及び／又は他の物品を面から吊り下げるための開いた姿勢２２７５でＳ字形フックにすることができる。包囲された姿勢においてコイルは部分２２７６、２２７８のコイル状クリップ２２７１に対してオーバーラップ部２２７４を規定し、部分２２７６、２２７８が完全に回転するのを許す。
【００９７】
図２２Ｅは、回転継手２２８２を備えたオーバーラップしたダイヤモンド形クリップ２２８１を包囲された姿勢２２８０と開いた姿勢２２８５で示しており、ねじり運動によりハンドバッグ及び／又は他の物品を面から吊り下げるための開いた姿勢２２８５でＳ字形フックにすることができる。ダイヤモンド形クリップ２２８１は部分２２８６と２２８８のオーバーラップ部２２８４をそれらの自由端部に隣接して規定する。このオーバーラップ部２２８４は回転継手２２４２の楔と戻り止め受け口（図示せず）が偏位していることを要する。オーバーラップ部２２８４の故に部分２２８６、２２８８が完全に回転することは可能ではない。
【００９８】
図２２Ｆは、回転継手２２９２を備えるオーバーラップした涙形クリップ２２９０を包囲された姿勢２２９０と開いた姿勢２２９５で示しており、ねじり運動によりハンドバッグ及び／又は他の物品を面から吊り下げるための開いた姿勢２２９５で角のあるフック（例えばＳ字形フック）にすることができる。ダイヤモンド形クリップ２２９１は部分２２９６と２２９８のオーバーラップ部２２９４をそれらの自由端部に隣接して規定する。このオーバーラップ部２２９４の故に部分２２９６、２２９８が完全に回転することは可能ではない。
【００９９】
上述した一体的な凸部支持クリップ・フック構成体（可動な「包囲構成体」とも呼ぶ）に類似した別の例示的な実施態様が、図２３Ａ〜図２８に種々示されている。図２３Ａ〜図２３Ｃを参照すると、例示的な回転継手で連結されたクリップ・フック構成体２７００（図２７及び図２８に組み立てられた状態で示す）の第１部分（部分ループ）２３１０が示されている。同様に図２４Ａ〜図２４Ｃは、クリップ・フック構成体２７００の第２部分（やはり部分ループ）２４１０を示している。上述した別の実施態様におけるように例示的なクリップ・フック構成体２７００は継手を含んでおり、それにより第１部分と第２部分が継手の軸線ＡＪを中心に回転して、開いたフックポジション（図２７参照）と閉じたループポジション（図２８参照）を含む少なくとも２個の割出し位置の間を動くことが可能になる。第１部分２３１０は例示的に、継手端部２３２２に凸部アセンブリ２３２０を有する一体的なポリマー部片を含んでおり、部分ループを画定する。剛性と耐久性と長寿命を組み合わせた多様な耐久性ポリマーを採用でき、ナイロンＰＡ６６などのナイロン合成物も含むが、これに限らない。第２部分２４１０は例示的に、例えば適当なアルミニウム合金（例えば６０６１）から作製された金属部片構成を含んでおり、凸部アセンブリ２３２０を受容するように寸法設計されて配置された凹部２４２０を有する継手端部２４２２を具えて、やはり部分ループを画定する。第２部分２４１０に設けた凹部２４２０は例示的に別個のインサート部材から形成されており、このインサート部材は第２部分２４１０の金属部分の継手端部２４２２に設けた対応するソケットに挿入される（すなわちスナップ留めされる）。インサートは第１部分と同じ又は異なるポリマー材料から作製されてよい。代替的な実施態様において、凹部は金属から形成され及び／又は直接第２部分の継手端部内に形成され得る。同様に第２部分はポリマー材料または他の適当な材料から形成されることもできる。
【０１００】
所定の位置で第１部分（ポリマー部片）２３１０の継手端部２３２２と反対側にある自由端部２３４０には、（天然ゴム若しくは合成ゴム、又は他の柔軟な摩擦発生ポリマーから形成された）弾性パッド２３３０が設けられており、構成体が開いたポジションに回転してフックを画定するときに（図２８）、他方の支持面であるテーブルと係合するように構成及び配置されている。パッド２３３０は多様な方法で作製されることができ、多様なサイズと形状を規定できる。この実施態様ではパッドは、自由端部２３４０の内面に付着した薄いカバーである。代替的な実施態様においてパッドは、自由端部の１以上の凹部に固定できる差し込み式構造を有することができる。パッドは第１部分２３１０のより剛性的なポリマーと一緒に成形された構造を含むこともできる。
【０１０１】
凸部アセンブリ２３２０と凹部２４２０は互いに合致する円錐台形端部２３５０、２４５０を備え、共同で密接に適合して嵌合する円筒体を画定する。円錐台形端部２３５０、２４５０は第１部分２３１０と第２部分２４１０の軸方向運動（すなわち引き抜き）を制限する一方で、凸部アセンブリ２３２０が完全に凹部２４２０に着座（図２７に示す組立後）したら（軸線ＡＪを中心とした）軸方向回転を許す。この実施態様では凸部アセンブリ２３１０は少なくとも２個の離間した凸部２３６０を含んでおり、各々円錐台形端部２３５０上に傾斜面を有する。この傾斜面は、組立時に凸部２３６０が円筒形凹部２４２０内に押し込まれると互いに内方に曲がって収縮することを可能にする。組み立てられると、さらに図２５Ａ〜図２５Ｃの拡大図を参照して各々の凸部２３６０の後面２５１０は、凹部２４２０の内周壁２５１２と係合し、それによって軸方向の引抜きに抵抗する。各凸部２３６０の半円筒形シャフト２５２０は、それぞれ互いに約１８０度離間した位置に軸方向に整合された外部突起２５３０も有する。これらの突起２５３０は動いて、凹部２４２０の円筒形内壁２５４０の円周上で互いに１８０度離間して設けられた対応する窪み２５３２と嵌合する。突起２５３０と窪み２５３２は、開いたポジションと閉じたポジションとの間で継手の位置を割り出せるように位置決めされている。代替的な実施態様において、突起と窪みの位置を逆にして、凹部に突起を設け、各凸部のシャフトに窪みを設けることができる。
【０１０２】
全クリップ・フック構成体２７００及び関連する継手アセンブリの寸法は極めて可変であるが、例示的な実施態様ではシャフトの長さ（図２５ＡのＬＳ）は約３．５５ミリメートルであり、凹部の壁２５１２までの対応する深さもほぼ同じである。凸部２３６０間の平均間隔（図２５ＢのＷＳＰ）は約２ミリメートルであり、随意に継手端部２３２２から外方に僅かなテーパーを含んでよい。凸部円筒形シャフトの外径（図２５ＢのＰＳＯＤ）は約６．２７ミリメートルである。円筒形壁２５４０の対面する領域における凹部の内径は同様である。各凸部２３６０の幅（図２５ＣのＷＰ）は約６．１８ミリメートルである。円錐台形頭部２３５０の最大外径（図２５ＤのＯＤＨ）は約８．９０ミリメートルである。軸方向の長さ（軸線ＡＪ沿い）は約３．０８ミリメートルである。
【０１０３】
各突起２５３０のシャフト２５２０からの高さＨＰは約０．８６ミリメートルである。突起２５３０は例示的に図示された三角形断面形状を画定し、それぞれの底辺（シャフトと接する箇所）は各々約１．７３ミリメートルである。対応する窪み２５３２は同様の深さと形状を有する。突起の軸方向長さは円錐台形頭部から後方約２ミリメートルである。一実施態様において窪みは完全にまたぐ長さを有することができる。代替的な実施態様において、窪みと突起は多様な種々の断面形状（軸線ＡＪに対して直角の面）及び／又はサイズを画定できる。例えば例示的な三角形ではなく半円形または半卵形の断面形状も可能である。同様に、追加の割出し位置（例えば９０度角）を許容するために追加の突起及び／又は窪みを設けることができる。
【０１０４】
凸部２３６０は単独で継手端部２３２２に板ばね／カンチレバーの形式で取り付けられている。組立時と操作時（以下に説明する）に各凸部２３６０が弾性的に内方に撓むのを容易にするために、基部２５７０はアールを持たせた僅かな起伏を含む。図２６に略示されているように、第１部分２３１０と第２部分２４１０は凸部アセンブリ２３２０を凹部に差し込むことによって組み立てられ、この時点で円錐台形端部２３５０は凹部の内壁に当り、それによって凸部２３６０は弾性的に互いに内方に収縮される。円錐台形端部２３５０が凹部２４１０の拡げられた部分に到達すると、凸部２３６０は反発して元に戻り、両部分が軸方向に引き抜けるのを妨げる。
【０１０５】
操作時に組み立てられて一方の部分を他方の部分に対して軸線ＡＪを中心に回転させると、突起２５３０が回転して窪み２５３２から出て凹部の内壁２５４０に沿って進んで凸部が僅かに内方に曲がる。突起と窪みの形状（すなわち継手の円周を中断する相互係合形態）は、突起を窪みから変位させるための少しのトルクを許容する。突起／窪みの形状及び高さのパラメータは両部分を回転変位させるのに必要なトルクの量を一部規定し、これらのパラメータは一部設計プロセスにおける試行錯誤に基づいて変化させることができる。留意すべきは、円錐台形端部２３５０の最大外径ＯＤＨは突起の最大外径より大きい点であり、そのため凸部が変位中に曲がっても、凹部２４２０が引き抜きを妨げれば、端部２３５０は依然として内壁／後壁２５１２と十分係合した状態に留まる。明らに、軸方向に整合された表面に組み付けた凸部シャフトの外壁上の突起と凹部の内壁上の窪みを用いることにより、クリップ・フック構成体の両部分を回転／変位させる際に軸方向運動の必要性を回避できる。この配置構成は、軸方向運動が限られ（またはなく）、開いたポジションと閉じたポジションが安定した、より確実な継手を提供する。
【０１０６】
クリップ・フック構成体の各部分の形状は極めて可変であり、上述したようにそれらの自由端部は両端が合致するように適合され得ることは明らかであろう。代替として、各部分２３１０、２４１０の自由端部２３４０、２４４０は、構成体２７００で図示されているように被さる／重なることができる。自由端部が弧状に離間したままに留まる別のジオメトリも想定されている。一般に、上述したいずれのジオメトリも、ここで一般的に想定されているジオメトリも、この実施態様の例示的な継手アセンブリを採用できる。
【０１０７】
ここで、図２９及び図３０を参照すると、クリップ・フック構成体（可動包囲構成体）２９００の別の例示的な実施態様が、それぞれ閉じたポジションと開いたポジションで示されている。ポリマー製の第１部分２９２０と金属製の第２部分２９３０との間の細い継手線２９１０で表された継手は、互いにぴったり合って継手アセンブリ全体が精密なため（及び適切な表面仕上げを使用しているため）使用者にはほとんど識別できない。継手の内部ジオメトリと構造は、上で図２３Ａ〜図２８の例示的な実施態様について説明したものと同様又は同一である。第１部分２９２０は、装飾的なカーブを描く部分ループを画定する。図２９の閉じたポジションで示されている第２部分２９３０も、（自由端部２９４０で）僅かに高くなっている部分ループを画定しており、その自由端部２９４０は第１部分の自由端部２９５０に重なり被さっている（すなわち両自由端部はほぼ同じ平面状に位置している）。第１部分の自由端部２９５０は、自由端部の先端に適当な弾性パッド３０１０（例えば合成ゴム若しくは天然ゴム）を含んでおり、これは構成体が図３０に示す開いたポジションにあるときに支持面と係合するように適合されている。
【０１０８】
開いたポジションは「フック」と呼ばれるが、ブレスレットの場合のように開いたポジションは支持機構としてよりも第一次的に解除機構として適合され得ることも明確に想定されていることに留意されたい。また、各部分に異なる材料が使用されており、全構成体に統一された魅力的な仕上げを与えるために種々の仕上げと被覆工程（例えば蒸着）を使用できることも明らかであろう。さらに、代替的な実施態様において成形された一体的な第１部分の代わりに、第１部分を画定する金属部片又はポリマー部片内のソケットに別個の凸部アセンブリを適用できることは明らかであろう。加えて、凹部及び凸部シャフトは一般に円筒形であるが、それらは代替的に合致する円錐台形又は他の３次元形状を画定することもできる。さらに、凸部又は凹部が唯一の相互係合形態を含み、これが対向する部材上の２個の離れた形態の間で回転するようにできる。例えば凸部は、凹部の直径方向で対向する窪みの間を回転する１個の突起を含むことができ、その逆も可能である。
【０１０９】
ここで図３１を参照すると、回転継手クリップ・フック構成体のクリップ別の例示的な実施態様が閉じたポジションで示されている。この実施態様は第１部分３１０２と、第２部分３１０４と、回転継手３１０６からなる。継手の内部ジオメトリ及び構造は、上の図２３Ａ〜図３０で説明したものと異なる。第１部分３１０２は、装飾的なカーブを描く部分ループを画定する。第２部分３１０４も（自由端部３１０８で）僅かに高くなっている部分ループを画定しており、その自由端部３１０８は第１部分の自由端部３１１０に重なり被さっている（すなわち両自由端部はほぼ同じ平面状に位置している）。この例示的な実施態様では、軸ボルトとキャップのための凹部は第１部分に収容されし、止めナット及びインジケータは第２部分に収容されるように表現されている。止めナット及びインジケータを第１部分に収容し、軸ボルト及びキャップ用の凹部を第２部分に収容できることも明確に想定されている。
【０１１０】
この例示的な実施態様では、各部分と継手アセンブリに使用する材料はすべて金属であるか、種々のレベルの品質と価格に応じてプラスチック及び／又は非金属部品であることもできる。
【０１１１】
図３２はクリップ・フック構成体の分解図であり、継手アセンブリの部品を示している。継手アセンブリはキャップ３２１０、軸ボルト３２１２、皿ワッシャー３２１４、一体的ワッシャー３２１６、埋設されたばねサポート３２１８、止めナット３２２０及びインジケータ３２２２からなる。第１部分の自由端部３１１０は、自由端部の内側先端に採用随意の適当な弾性パッド３１１２（例えば合成ゴム若しくは天然ゴム）を含んでおり、これは構成体が開いたポジションにあるときに支持面と係合するように適合されている。第１部分の自由端部３１１０には弾性的インサート３１１２及びインサートに対するインセット３２２４が示されている。別の実施態様では、弾性パッドはテクスチャ表面処理、その他の摩擦表面であるか、または省略できる。キャップ３２１０、軸ボルト３２１２、皿ワッシャー３２１４、一体的ワッシャー３２１６及び埋設されたばねサポート３２１８はポケット３２３０内に収容されている。止めナット３２２０は止めナット用ポケット３２３２に収容されている。インジケータ３２２２はインジケータ用ポケット３２３４に収容されている。組立時に軸ボルト３２１２は貫通孔３２３６を通って止めナット３２２０と係合する。
【０１１２】
ばねサポート３２１８は、摩耗に抵抗して継手アセンブリの完全性を維持するため金属で作製されている。ばねサポートは２つの対向面の１つを提供し、クリップ・フック構成体の内部運動を制限する止めナットを備えている。ばねサポート３２１８と止めナット３２２０は第１部分の本体内で成形され得る。軸ボルトと止めナットを実現すると、２個のキャップの必要性が軽減されて、クリップ・フック構成体の全体的な美観が強化される。皿ワッシャー３２１４は上述した機能を持ち、全構成体にロック張力を与えるが、これは両部分が割り出された姿勢から回転して出る作用を増すことによって克服され得る。一体的ワッシャー３２１６は皿ワッシャー３２１４と埋設されたばねサポート３２１８との間のアダプタである。
【０１１３】
図３３はクリップ・フック構成体３３００の斜視図であり、単一のキャップ３２１０の位置を示している。キャップは適当な肩部内のポリマー構造であるか、又はキャップを受容する凹部内にスナップ留めすることを許す他のジオメトリであってよい。キャップ３１２０は、第１部分又は第２部分の周囲の材料と調和した仕上げ（例えば金属化）を含むことができる。
【０１１４】
図３４は、図３２の分解図の断面図を示す。キャップ３２１０は中空内部３４０４を有する。ばねサポート３２１８はポケット３２３０内に配置されて、肩部３４０２に支持されている。皿ワッシャー３２１４、一体的ワッシャー３２１６及びばねサポート３２１８は、貫通孔３２３６と一直線をなす貫通孔３４０６を有する。両貫通孔３２３６、３４０６は、軸ボルト３２１２が衝突することなく進めるように構成及び配置されている。隣接の皿ワッシャーは図示されているように互いに向き合って配置されており、互いに圧縮して第１部分を第２部分に向って付勢することができる。ばねサポート３２１８は、クリップ・フック構成体の部分が回転するための支持面である。
【０１１５】
図３５は、第１部分３１０２の継手アセンブリを分解した部品を示す。肩部３４０２が見えている。肩部に隣接してキャップ３２１０（この図には示されていないが、以下に詳しく説明する）のキースロットと係合するキー３５０２がある。
【０１１６】
図３６は、第１部分３１０２の継手アセンブリを分解した部品と継手の内面３６００を示す。内面３６００は２個の溝３６０２を備えており、これらの溝は第１の回転ポジションと第２の回転ポジションの各々における少なくとも１個のインジケータ３２２２（図示せず）と選択的に係合している。溝３６０２は上述した溝（例えば図２０の溝２０２４）と同じ機能を持つ。
【０１１７】
第２部分３１０４の内面３７００はインジケータ用ポケット３２３２と止めナット用ポケット３２３４を備えている。止めナット３２２０は外形が六角形をしており、対応する軸ボルト３２１２のねじ山を受容するように寸法設計及び構成されたねじ穴３７０２を有する。止めナット用ポケット３２３４の内壁３７０４は六角形で、止めナット３２２０を保持するように寸法設計及び構成されており、継手が自在に回転しないように押さえている。これ以外にも代替的な実施態様において多様な回転防止形状（例えば多角形、スプライン、ギザギザなど）を備えることができる。止めナット３２２０が止めナット３２３４に挿入されると、継手は固定される。インジケータ３２２２はいずれか一方の溝と係合して、クリップ・フック構成体をクリップポジション又はフックポジションで補助する。
【０１１８】
図３８はキャップ３２１０、及び上述したようにポケット３２３０内でキー３５０２と係合するスロット３８０２を示している。この係合は、継手アセンブリの固定に寄与し、キャップ３２１０が所定の位置に留まるのを助ける。
【０１１９】
図３９は、継手アセンブリ３１０６を閉じたクリップポジションで示す断面図であり、上述した部品の位置と配置を示している。軸ボルト３２１２は保持ボルト３２２０にねじ込まれて、各部分３１０２、３１０４を一緒に保持している。内部継手部品及びキャップに対して剛性と耐久性と長寿命を組み合わせた多様なポリマーを採用でき、ナイロンＰＡ６６などのナイロン合成物も含むが、これに限らない。上記の通り、軸ボルト、止めナット及びばねサポートに金属を使用すると摩耗が減り、継手の耐久性と寿命が増す。補助部品は金属又は耐久性ポリマーから作製されてよい。別の実施態様では第１部分と第２部分の少なくとも一方がポリマー材料からなり、ポリマー領域に止めナットを埋設することができる。両部分の少なくとも１個の自由端部は弾性パッドを備えている。第１部分と第２部分は閉じたポジションで、固形装飾品を画定するように構成及び配置されており、開いたポジションに動かすことができる。クリップ・ループ構成体は閉じたポジションで携帯バッグ用のストラップを包囲できる。
【０１２０】
上述した実施態様は、互いに係合する戻り止め受け口と隆起した楔からなる割出しアセンブリを備えた継手を含んでいるが、反対側の継手の係合要素は代替的な機構で構成できることが明確に想定されている。例示的な実施態様において、継手の各半部は向き合う磁石又は磁性材料（例えば楔及び戻り止めと同じ位置に配置されて対向する継手面の各々に埋設されている）。磁石は連結された部品を、部品に十分な回転トルクを加えることにより選択的に提供され得る（少なくとも）２つの反対の位置のいずれかに移動可能にロックする（又はねじり拘束する）。「割出しアセンブリ」という用語は、そのような磁石及び等効のロック機構を含むものとして広く解されるべきである。例えば、継手の各面に埋設されたばね負荷されたボールと戻り止めシステムは、そのような等効の割出し機構である。
【０１２１】
本発明の種々異なる実施態様のフックとクリップを組み合わせたアセンブリが極めて有用であり、しかも男性にも女性にも使用できる美観的にも快い装置であることは明白であろう。これは多様でユニークな形状及びデザインを備え、多様な材料又は材料の組合せから作ることができる。
【０１２２】
以上、本発明の例示的な実施態様について詳細に説明した。本発明の精神と範囲から逸脱することなく様々な変容又は追加を行うことができる。上述した各々の実施態様は他の実施態様と組み合わせて多様な特徴を提供することができる。さらに、以上に本発明の装置と方法の多数の実施態様を個別に記載したが、これは本発明の原理の応用を単に例示的に述べたものに過ぎない。例えばフック又はブレスレットによって規定される形状は、特定の機能を満足し、ユニークな美的特徴を提供する多数の追加の曲線や角を含むことができる。同様に、回転継手において１８０度の割出し機構が提供されているが、直径方向で反対の複数対の突出部と戻り止めを用いて説明された１８０度姿勢に加えて、両部分を他の姿勢に適切に割り出すために追加の戻り止め及び／又は楔が提供され得ることが想定されている。さらに、記載されたいずれの実施態様も互いに反対側の楔と戻り止めを含み、継手の向き合う各面に少なくとも１個の楔及び少なくとも１個の戻り止めを備えることができる。同様に、この実施態様では回転継手はねじ軸とばねワッシャーを用いて構成されているが、１対の向き合う戻り止め部片が互いに向かって付勢されるようにする多様な機構を採用できる。そのうえ、さらに、本発明の回転継手では楔、半球体、戻り止め及び溝に対してインサートが使用されるが、代替的な実施態様ではそのような部材は両部分の２つの対向する端部の表面に直接形成できる。この場合、ばね機構はインサートを介することなく直接両部分間に適用される。ここで用いられている「インサート」という用語は、広く各クリップ部分の継手端部のそのような直接対向する表面構成を含めて解されるべきである。さらに、対向する突出部と戻り止めに基づく割出し機構が示されているが、他の多様な割出し機構、例えばばね負荷されたボール、及び一方のクリップ部分に設けられた外側円筒と他方のクリップ部分に嵌め込まれた同心的な内側円との間に配置された戻り止め構造も明確に想定されている。また、全体構造は基本的に開いた姿勢と包囲された姿勢を可能にする部品を規定する多数の継手を含むことができる（例えば一方の部分は複数の回転継手を有する部分を含むことができる）ことも想定されている。したがって、上記の説明は単に例示に過ぎず、本発明の範囲を制限するものと解されてはならない。
【０１２３】
以下に請求項を添付する。
【図１】
2016513555.tif 000003
【図２】
2016513555.tif 000004
【図３】
2016513555.tif 000005
【図４】
2016513555.tif 000006
【図５】
2016513555.tif 000007
【図６】
2016513555.tif 000008
【図７】
2016513555.tif 000009
【図８】
2016513555.tif 000010
【図９】
2016513555.tif 000011
【図１０】
2016513555.tif 000012
【図１１】
2016513555.tif 000013
【図１２】
2016513555.tif 000014
【図１３】
2016513555.tif 000015
【図１４】
2016513555.tif 000016
【図１５Ａ】
2016513555.tif 000017
【図１５Ｂ】
2016513555.tif 000018
【図１５Ｃ】
2016513555.tif 000019
【図１５Ｄ】
2016513555.tif 000020
【図１６】
2016513555.tif 000021
【図１７】
2016513555.tif 000022
【図１８】
2016513555.tif 000023
【図１９】
2016513555.tif 000024
【図２０】
2016513555.tif 000025
【図２１】
2016513555.tif 000026
【図２２Ａ】
2016513555.tif 000027
【図２２Ｂ】
2016513555.tif 000028
【図２２Ｃ】
2016513555.tif 000029
【図２２Ｄ】
2016513555.tif 000030
【図２２Ｅ】
2016513555.tif 000031
【図２２Ｆ】
2016513555.tif 000032
【図２３Ａ】
2016513555.tif 000033
【図２３Ｂ】
2016513555.tif 000034
【図２３Ｃ】
2016513555.tif 000035
【図２４Ａ】
2016513555.tif 000036
【図２４Ｂ】
2016513555.tif 000037
【図２４Ｃ】
2016513555.tif 000038
【図２５Ａ】
2016513555.tif 000039
【図２５Ｂ】
2016513555.tif 000040
【図２５Ｃ】
2016513555.tif 000041
【図２５Ｄ】
2016513555.tif 000042
【図２６】
2016513555.tif 000043
【図２７】
2016513555.tif 000044
【図２８】
2016513555.tif 000045
【図２９】
2016513555.tif 000046
【図３０】
2016513555.tif 000047
【図３１】
2016513555.tif 000048
【図３２】
2016513555.tif 000049
【図３３】
2016513555.tif 000050
【図３４】
2016513555.tif 000051
【図３５】
2016513555.tif 000052
【図３６】
2016513555.tif 000053
【図３７】
2016513555.tif 000054
【図３８】
2016513555.tif 000055
【図３９】
2016513555.tif 000056
【国際調査報告】
2016513555.tif 000057
2016513555.tif 000058